(57)【要約】【課題】比較的容易に施工でき、かつ、雨戸枠や窓枠にひずみが生じている場合であっても支持枠が雨戸枠や窓枠に干渉しない開閉装置を提供する。【解決手段】開閉装置１０は、雨戸枠１０４と戸袋１０６とを含む雨戸ユニット１０２に対応して設けられる。開閉装置１０は、雨戸枠１０４の枠開口１０８を開閉するためのシャッターカーテン３２を含むシャッターユニット１４と、雨戸枠１０４を囲むように建物に固定され、シャッターユニット１４を支持する支持枠１２と、を備える。支持枠１２は、戸袋１０６側が開放され、建物に固定される三方枠状の本体部２０と、本体部２０の開放端に連結される連結枠５０と、を含む。【選択図】図１
2018135724.tif 000002
【特許請求の範囲】
【請求項１】
雨戸枠と戸袋とを含む雨戸ユニットに対応して設けられる開閉装置であって、
前記雨戸枠の枠開口を開閉するための開閉体を含むシャッターユニットと、
前記雨戸枠を囲むように建物に固定され、前記シャッターユニットを支持する支持枠と、を備え、
前記支持枠は、前記戸袋側が開放され、建物に固定される三方枠状の本体部と、前記本体部の開放端に連結される連結枠と、を含むことを特徴とする開閉装置。
【請求項２】
前記連結枠は、前記本体部および前記シャッターユニットの重量を支持しない状態で前記本体部の開放端に連結されることを特徴とする請求項１に記載の開閉装置。
【請求項３】
前記本体部は、
見付け方向に延在し、前記雨戸枠の上方において建物に固定される上枠と、
見付け方向に延在し、前記雨戸枠の下方において建物に固定される下枠と、
鉛直方向に延在し、見付け方向において雨戸枠に対して戸袋とは反対側において建物に固定される縦枠と、を含み、
前記シャッターユニットはさらに、
前記開閉体の一端が固定されるシャフトと、
前記上枠に支持され、前記シャフトを収容するケースと、を含み、
前記連結枠は、鉛直方向に延在し、一端が前記ケースに固定され、他端が前記下枠に固定されることを特徴とする請求項１または２に記載の開閉装置。
【請求項４】
前記連結枠は方立であることを特徴とする請求項１から３のいずれかに記載の開閉装置。
【請求項５】
前記連結枠と前記戸袋との隙間から建物内に差し込もうとする光の少なくとも一部を遮るための遮光部材を備えることを特徴とする請求項１から４のいずれかに記載の開閉装置。
【請求項６】
前記支持枠は、前記戸袋に固定されていないことを特徴とする請求項１から５のいずれかに記載の開閉装置。
【請求項７】
雨戸枠と戸袋とを含む雨戸ユニットに対応して設けられる開閉装置の施工方法であって、
前記雨戸枠を囲むように、前記戸袋側が開放された三方枠状の本体部を建物に固定する工程と、
前記本体部に、前記雨戸枠の枠開口を開閉するための開閉体を含むシャッターユニットを固定する工程と、
前記本体部の開放端に連結枠を連結する工程と、を含むことを特徴とする施工方法。
【請求項８】
前記本体部は、
見付け方向に延在し、前記雨戸枠の上方において建物に固定される上枠と、
見付け方向に延在し、前記雨戸枠の下方において建物に固定される下枠と、
鉛直方向に延在し、見付け方向において雨戸枠に対して戸袋とは反対側において建物に固定される縦枠と、を含み、
前記シャッターユニットはさらに、
前記開閉体の一端が固定されるシャフトと、
前記上枠に支持され、前記シャフトを収容するケースと、を含み、
連結枠を連結する工程では、前記連結枠の一端を前記ケースに固定し、前記連結枠の他端を前記下枠に固定することを特徴とする請求項７に記載の施工方法。
【請求項９】
前記連結枠は方立であり、
前記連結枠を連結する工程では、前記本体部の開放端に前記方立を連結することを特徴とする請求項７または８に記載の施工方法。
【請求項１０】
前記開閉体を固定する工程では、前記連結枠と前記戸袋との間に遮光部材が挟まれるように前記本体部に前記連結枠を連結することを特徴とする請求項７から９のいずれかに記載の施工方法。
【発明の詳細な説明】
【技術分野】
【０００１】
本発明は、雨戸枠と戸袋とを含む雨戸ユニットに対応して設けられる開閉装置とその施工方法に関する。
【背景技術】
【０００２】
雨戸枠と戸袋とを含む雨戸ユニットに対応して建物に取り付けられる後付用の開閉装置が提案されている（例えば特許文献１）。
【先行技術文献】
【特許文献】
【０００３】
【特許文献１】特開２０１４−７７２４３号公報
【発明の概要】
【発明が解決しようとする課題】
【０００４】
特許文献１に記載される開閉装置は、既設の雨戸ユニットを取り外さなくて済むため、比較的容易に施工できる。しかしながらこの開閉装置では、開閉体を支持する支持枠のうちの戸袋側の支持枠でも開閉体の重量を支持するため、既設の雨戸枠に戸袋側の支持枠を固定している。しかしながら、既設の雨戸枠にひずみが生じている場合、ひずみに合わせて支持枠の固定位置を調節する必要があり、施工に手間がかかる。
【０００５】
本発明はこうした状況に鑑みてなされたものであり、その目的は、比較的容易に施工できる開閉装置を提供することにある。
【課題を解決するための手段】
【０００６】
上記課題を解決するために、本発明のある態様の開閉装置は、雨戸枠と戸袋とを含む雨戸ユニットに対応して設けられる開閉装置であって、雨戸枠の枠開口を開閉するための開閉体を含むシャッターユニットと、雨戸枠を囲むように建物に固定され、シャッターユニットを支持する支持枠と、を備える。支持枠は、戸袋側が開放され、建物に固定される三方枠状の本体部と、本体部の開放端に連結される連結枠と、を含む。
【０００７】
本発明の別の態様は、施工方法である。この方法は、雨戸枠と戸袋とを含む雨戸ユニットに対応して設けられる開閉装置の施工方法であって、雨戸枠を囲むように、戸袋側が開放された三方枠状の本体部を建物に固定する工程と、本体部に、雨戸枠の枠開口を開閉するための開閉体を含むシャッターユニットを固定する工程と、本体部の開放端に連結枠を連結する工程と、を含む。
【発明の効果】
【０００８】
本発明によれば、比較的容易に施工できる開閉装置を提供できる。
【図面の簡単な説明】
【０００９】
【図１】実施の形態に係る開閉装置の斜視図である。
【図２】図１とは別の角度から見た開閉装置の斜視図である。
【図３】開閉装置の分解立体図である。
【図４】開閉装置の正面図である。
【図５】図４のＡ−Ａ線断面図である。
【図６】開閉装置を建物に施工する方法を示す工程図である。
【図７】開閉装置を建物に施工する方法を示す工程図である。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
雨戸ユニットに対応して建物に取り付けられる従来の後付用の開閉装置では、開閉体を支持する支持枠のうちの戸袋側の支持枠でも開閉体の重量を支持するため、既設の雨戸枠に戸袋側の支持枠を固定している。この場合、雨戸枠にひずみが生じていると、ひずみに合わせて支持枠の固定位置を調整しなければならない。また、例えばビスで固定する場合には雨戸枠に穴を開けることになるため、別途防水加工を施す必要がある。したがって施工が難しくなる。以上の経緯から、発明者は、実施の形態に係る開閉装置およびその施工方法を得るに至った。以下、具体的に説明する。
【００１２】
（開閉装置）
図１は、実施の形態に係る開閉装置１０の斜視図である。図１では、シャッターカーテン３２を半透明で図示する。図２は、図１とは別の角度から見た開閉装置１０の斜視図である。図２では、ケース３０の一部およびシャッターカーテン３２を取り外した状態を示す。図３は、開閉装置１０の分解斜視図である。図４は、開閉装置１０の正面図である。図５は、図４のＡ−Ａ線断面図である。
【００１３】
以降、開閉装置１０が取り付けられる建物の外壁面（全体として平坦である外壁面）と平行な実質的に水平な方向を「見付け方向」とし、見付け方向に直交する実質的に水平な方向を「見込み方向」として説明する。また、見込み方向において、開閉装置１０が取り付けられる建物から離れる側を「前側」として説明する。
【００１４】
開閉装置１０は既設の雨戸ユニット１０２に対応して設けられ、雨戸ユニット１０２は窓部に対応して設けられる。窓部は、建物の外壁の開口を囲むように外壁に取り付けられる窓枠１１０と、窓枠１１０にはまるガラス戸（不図示）とを含む。雨戸ユニット１０２は、雨戸枠１０４と、雨戸枠１０４にはまる雨戸（不図示）を収納するための戸袋１０６とを含む。
【００１５】
雨戸枠１０４は、三方枠であり、上枠１０４ａと、下枠１０４ｂと、縦枠１０４ｃとを含む。上枠１０４ａおよび下枠１０４ｂは、見付け方向に延在する。縦枠１０４ｃは、鉛直方向に延在し、上枠１０４ａおよび下枠１０４ｂの戸袋１０６とは反対側の端部を連結する。上枠１０４ａ、下枠１０４ｂおよび縦枠１０４ｃは、窓枠１１０の前側に、例えば窓枠１１０から前側に延びるように窓枠１１０と一体に形成される。
【００１６】
開閉装置１０は、雨戸ユニット１０２のリフォームとして、基本的には雨戸ユニット１０２をそのままに、雨戸ユニット１０２の上から取り付けられる。開閉装置１０は、本実施の形態では、開閉体としてのシャッターカーテン（後述）を備えるシャッター装置である。開閉装置１０は、支持枠１２と、シャッターユニット１４と、遮光部材１６と、を備える。
【００１７】
支持枠１２は、雨戸枠１０４を囲むように、すなわち上枠１０４ａ、下枠１０４ｂおよび縦枠１０４ｃを囲むようにねじ等の固定手段により建物に固定される。支持枠１２は、例えば、外壁を介して建物の柱部（不図示）に固定されてもよい。また、支持枠１２は、雨戸枠１０４および戸袋１０６にその重量がかららないように建物に固定される。具体的には、支持枠１２は、雨戸枠１０４および戸袋１０６に固定されずに建物に固定される。
【００１８】
支持枠１２は、本体部２０と、連結枠５０と、を含む。本体部２０は、戸袋１０６側が開放された三方枠状の部材であり、本体上枠２２と、本体下枠２４と、本体縦枠２６とを含む。本体上枠２２は、見付け方向に延在するように、雨戸枠１０４の上方において建物に固定される。本体下枠２４は、見付け方向に延在するように、雨戸枠１０４の下方において建物に固定される。本体下枠２４は、見込み方向の幅が雨戸枠１０４よりも大きく、雨戸枠１０４よりも前側に突出している（図５参照）。本体縦枠２６は、鉛直方向に延在するように、見付け方向において雨戸枠１０４に対して戸袋１０６とは反対側において建物に固定される。本体縦枠２６は、本体上枠２２および本体下枠２４の戸袋１０６とは反対側の端部を連結する。
【００１９】
連結枠５０は、三方枠状の本体部２０の開放端に、鉛直方向に延在するように連結される。連結枠５０は、その本体縦枠２６側に形成されたレール５０ａ（図２参照）により、本体縦枠２６とともにシャッターカーテン３２の開閉時の上下動をガイドする。連結枠５０の下端は、本体下枠２４に載置され、不図示の係止機構により本体下枠２４に係止される。連結枠５０の下端は特に、戸袋１０６側の本体下枠２４の端部であって、雨戸枠１０４よりも前側に突出している本体下枠２４の前端部に載置され、本体下枠２４に係止される。連結枠５０の上端は、本体上枠２２よりも前側に位置するケース３０（後述）内に下方から進入している。連結枠５０の上端は、ケース３０の係止突起３０ａに係止され、見付け方向および見込み方向の移動が規制される（図２参照）。なお、係止突起３０ａにより連結枠５０の見付け方向および見込み方向の移動が規制されるだけで、係止突起３０ａひいてはケース３０の重量は連結枠５０に掛からないようになっている。また、連結枠５０には、その他の部材の重量も掛からないようになっている。つまり、連結枠５０は、本体部２０およびシャッターユニット１４の重量を支持しない状態で本体部２０の開放端に連結されている。
【００２０】
また、連結枠５０は、本体上枠２２、本体下枠２４および本体縦枠２６よりも見付け方向における寸法が小さくなるよう形成される。連結枠５０は特に、雨戸枠１０４より前側に突出している本体下枠２４の部分や、ケース３０よりも見付け方向における寸法が小さくなるよう形成される。これにより、連結枠５０は、窓枠１１０および雨戸枠１０４よりも前側に位置し、建物の外壁、窓枠１１０および雨戸枠１０４から浮いた状態となる。
【００２１】
本実施の形態では、従来のサッシ窓において窓枠を左右に仕切るための部材である連窓用の方立を連結枠５０として採用する。
【００２２】
シャッターユニット１４は、ケース３０と、シャッターカーテン３２と、シャフト３４とを含む。ケース３０は、長尺の箱状の部材であり、長手方向が見付け方向と実質的に一致するよう本体上枠２２に固定される。ケース３０は、シャフト３４を収容し、それらを隠蔽する。
【００２３】
シャフト３４は回転可能に支持される。シャッターカーテン３２は、支持枠１２の枠開口１８ひいては雨戸枠１０４の枠開口１０８を開閉するための開閉体であり、その一端がシャフト３４に固定される。したがって、シャッターカーテン３２は、シャフト３４およびケース３０を介して、本体上枠２２ひいては支持枠１２に支持される。
【００２４】
遮光部材１６は、支持枠１２と戸袋１０６との隙間から建物内に差し込もうとする光の少なくとも一部を遮るように設けられる（図１、５参照）。遮光部材１６は、ゴム、スポンジなどの弾性体である。遮光部材１６は、連結枠５０の戸袋１０６側の側面５０ａに固定されるとともに、連結枠５０と戸袋１０６の妻板１０６ａとに挟まれる。
【００２５】
（施工方法）
図６〜７は、上述した開閉装置１０を建物に施工する方法を示す工程図である。図６〜７に加えて図１を参照して開閉装置１０を施工する方法を説明する。
【００２６】
まず、図６に示すように、本体部２０が雨戸枠１０４を取り囲むように本体部２０を建物に固定する。
【００２７】
次に、図７に示すように、シャッターユニット１４を本体部２０の本体上枠２２に固定する。
【００２８】
次に、図１に示すように、連結枠５０の一端をシャッターユニット１４の戸袋１０６側の端部に固定し、他端を本体部２０の本体下枠２４の戸袋１０６側の端部に固定する。
【００２９】
以上説明した実施の形態に係る開閉装置１０では、支持枠１２は雨戸枠１０４を囲むように建物に固定される。これにより、既設の雨戸ユニット１０２を取り外すことなく開閉装置１０を施工できる。また開閉装置１０では、支持枠１２の本体部２０は雨戸枠１０４を取り囲むように建物に固定され、戸袋１０６側の枠である連結枠５０は本体部２０の開放端に連結される。連結枠５０は特に、一端は、本体下枠２４に載置されて本体下枠２４に係止され、他端は、ケース３０やその他の部材の重量が連結枠５０に掛からないように、ケース３０に係止される。すなわち、支持枠１２は、その連結枠５０がシャッターユニット１４の重量を支持しないように構成されている。そのため、連結枠５０を雨戸枠１０４に固定しなくて済み、開閉装置１０の施工の手間が軽減される。また、はじめに本体部２０を建物に固定し、後から戸袋１０６側の枠である連結枠５０を本体部２０の開放端に連結するため、比較的容易に、戸袋１０６に接触しないようにすなわち戸袋１０６を傷つけずに支持枠１２を建物に取り付けることができる。
【００３０】
また、実施の形態に係る開閉装置１０では、連結枠５０は、連窓用の方立である。つまり、既存のサッシの部材を連結枠５０として利用できるため、製造コストを抑えられる。
【００３１】
また、実施の形態に係る開閉装置１０では、支持枠１２は戸袋１０６に固定されない。また、支持枠１２（連結枠５０）と戸袋１０６とに挟まれる遮光部材１６は弾性体である。これにより、シャッターカーテン３２を開閉することによる振動等が戸袋１０６に伝わるのを抑止できその結果、戸袋１０６が破損して建物全体の見栄えが低下するのを抑止できる。
【００３２】
以上、実施の形態に係る開閉装置について説明した。この実施の形態は例示であり、各構成要素の組み合わせにいろいろな変形例が可能なこと、またそうした変形例も本発明の範囲にあることは当業者に理解されるところである。
【００３３】
（変形例１）
実施の形態では、開閉装置がシャッター装置である場合、すなわち開閉装置が開閉体としてのシャッターカーテン３２を備える場合について説明したが、これに限られない。開閉装置は、シャッターカーテン以外の開閉体、例えば、ブラインド、ロールスクリーン、または防煙垂れ幕などの開閉体を備えるものであってもよい。
【００３４】
（変形例２）
実施の形態では、遮光部材１６は、連結枠５０と妻板１０６ａとに挟まれる場合について説明したが、これに限られない。遮光部材１６は、支持枠１２（連結枠５０）と戸袋１０６との隙間から建物内に差し込もうとする光の少なくとも一部を遮ることができればよく、例えば、支持枠１２と戸袋１０６との隙間を塞ぐように支持枠１２および戸袋１０６の前面に貼り付けられるシール材であってもよい。この場合、連結枠５０と妻板１０６ａとは接触していてもいなくてもよい。接触していれば、建物内に差し込もうとする光をさらに遮ることができる。接触していなければ（すなわち非接触であれば）、シャッターカーテン３２を開閉することによる振動等が戸袋１０６に伝わるのを抑止できる。
【００３５】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００３６】
以上の記載から、下記の発明が認識される。
本発明のある態様の開閉装置は、雨戸枠と戸袋とを含む雨戸ユニットに対応して設けられる開閉装置であって、雨戸枠の枠開口を開閉するための開閉体を含むシャッターユニットと、雨戸枠を囲むように建物に固定され、シャッターユニットを支持する支持枠と、を備える。支持枠は、戸袋側が開放され、建物に固定される三方枠状の本体部と、本体部の開放端に連結される連結枠と、を含む。
【００３７】
連結枠は、本体部およびシャッターユニットの重量を支持しない状態で本体部の開放端に連結されてもよい。
【００３８】
本体部は、見付け方向に延在し、雨戸枠の上方において建物に固定される上枠と、見付け方向に延在し、雨戸枠の下方において建物に固定される下枠と、鉛直方向に延在し、見付け方向において雨戸枠に対して戸袋とは反対側において建物に固定される縦枠と、を含んでもよい。シャッターユニットはさらに、開閉体の一端が固定されるシャフトと、上枠に支持され、シャフトを収容するケースと、を含んでもよい。連結枠は、鉛直方向に延在し、一端がケースに固定され、他端が下枠に固定されてもよい。
【００３９】
これらの態様によると、比較的容易に支持枠ひいては開閉装置を施工できる。
【００４０】
連結枠は方立であってもよい。この場合、既存のサッシの部材を連結枠として利用できるため、製造コストを抑えられる。
【００４１】
連結枠と戸袋とに挟まれる遮光部材を備えてもよい。この場合、連結枠と戸袋との隙間から建物内に差し込もうとする光の少なくとも一部を遮ることができる。
【００４２】
支持枠は、戸袋に固定されていない。この場合、開閉体を開閉することによる振動等が戸袋に伝わるのを抑えることができる。
【００４３】
本発明の別の態様は、施工方法である。この方法は、雨戸枠と戸袋とを含む雨戸ユニットに対応して設けられる開閉装置の施工方法であって、雨戸枠を囲むように、戸袋側が開放された三方枠状の本体部を建物に固定する工程と、本体部に、雨戸枠の枠開口を開閉するための開閉体を含むシャッターユニットを固定する工程と、本体部の開放端に連結枠を連結する工程と、を含む。
【００４４】
本体部は、見付け方向に延在し、雨戸枠の上方において建物に固定される上枠と、見付け方向に延在し、雨戸枠の下方において建物に固定される下枠と、鉛直方向に延在し、見付け方向において雨戸枠に対して戸袋とは反対側において建物に固定される縦枠と、を含んでもよい。シャッターユニットはさらに、開閉体の一端が固定されるシャフトと、上枠に支持され、シャフトを収容するケースと、を含んでもよい。連結枠を連結する工程では、連結枠の一端をケースに固定し、連結枠の他端を下枠に固定してもよい。
【００４５】
これらの態様によると、比較的容易に、戸袋に接触しないように支持枠を建物に取り付けることができる。
【００４６】
連結枠は方立であり、連結枠を連結する工程では、本体部の開放端に方立を連結してもよい。この場合、既存のサッシの部材を連結枠として利用できるため、製造コストを抑えられる。
【００４７】
開閉体を固定する工程では、連結枠と戸袋との間に遮光部材が挟まれるように三方枠に連結枠を連結してもよい。この場合、連結枠と戸袋との隙間から建物内に差し込もうとする光の少なくとも一部を遮ることができる。この場合、連結枠と戸袋との隙間から建物内に差し込もうとする光の少なくとも一部を遮ることができる。
【符号の説明】
【００４８】
１０  開閉装置、  １２  支持枠、  １４  シャッターユニット、  １６  遮光部材、  １８  枠開口、  ２０  本体部、  ５０  連結枠、  １０２  雨戸ユニット、  １０４  雨戸枠、  １０６  戸袋、  １０８  枠開口。
【図１】
2018135724.tif 000003
【図２】
2018135724.tif 000004
【図３】
2018135724.tif 000005
【図４】
2018135724.tif 000006
【図５】
2018135724.tif 000007
【図６】
2018135724.tif 000008
【図７】
2018135724.tif 000009